(57)【要約】【課題】簡単な構成でデータ処理中におけるカードの抜き出しを確実に防止することができる、トレイを引き出し可能に収容したカードコネクタを提供する。【解決手段】カードコネクタ１におけるトレイ３０は、カードＣが載置及び保持される第１トレイ部４０と、検出スイッチ６０を開閉する第２トレイ部５０とを備えている。トレイ３０がハウジング１０内に収容されているときには、第２トレイ部５０が初期位置に位置し、第１トレイ部４０に保持されたカードＣの電極Ｃ１がコンタクト２０に接触すると共に、第２トレイ部５０によって検出スイッチ６０が閉じてトレイ３０がハウジング１０に収容されている状態が検出される。第２トレイ部５０が第１位置に移動すると、第２トレイ部５０によって検出スイッチ６０が開いてトレイ３０がハウジング１０に収容されていない状態が検出され、カード処理装置側に読み込み不可能の信号が送出される。【選択図】図２
2012256530.tif 000002
【特許請求の範囲】
【請求項１】
カードを収容するハウジングと、該ハウジングに取り付けられると共に前記ハウジングに収容されたカードの電極に接触するコンタクトと、前記カードを載置すると共に、前記ハウジングから引き出し可能に前記ハウジング内に収容されたトレイと、前記トレイが前記ハウジングに収容されている状態かそうでない状態かを検出する検出スイッチとを具備し、
前記トレイは、前記カードが載置及び保持される第１トレイ部と、該第１トレイ部に対して引き出し方向に移動可能に設けられると共に、前記検出スイッチを開閉する第２トレイ部とを備え、
前記トレイが前記ハウジング内に収容されているときには、前記第２トレイ部が前記第１トレイ部に対して引き出されておらず初期位置に位置し、前記第１トレイ部に保持された前記カードの電極が前記コンタクトに接触すると共に、前記第２トレイ部によって前記検出スイッチが閉じて前記トレイが前記ハウジングに収容されている状態が検出され、
前記第２トレイ部が前記初期位置から引き出し方向に第１所定距離にある第１位置に移動すると、前記第２トレイ部によって前記検出スイッチが開いて前記トレイが前記ハウジングに収容されていない状態が検出され、これにより、カード処理装置側に読み込み不可能の信号が送出され、
前記第２トレイ部が前記初期位置から引き出し方向に前記第１所定距離よりも長い第２所定距離にある第２位置に移動すると、前記第１トレイ部が前記第２トレイ部に連動可能となり、
前記第２トレイ部が前記初期位置から引き出し方向に前記第２所定距離よりも長い第３所定距離にある第３位置に移動すると、前記第２トレイ部に連動して前記第１トレイ部が引き出し方向に移動し、前記カードの電極が前記コンタクトから離れることを特徴とするカードコネクタ。
【請求項２】
前記第１トレイ部及び前記第２トレイ部には、前記第２トレイ部が前記初期位置から引き出し方向に前記第２位置に移動したときに、前記第２トレイ部の前記第１トレイ部に対する引き出し方向の相対的移動を規制するストッパ手段が設けられていることを特徴とする請求項１記載のカードコネクタ。
【請求項３】
前記検出スイッチが、前記ハウジングに固定された、互いに接離可能な１対のスイッチ端子で構成され、前記第２トレイ部には、引き出し方向に沿って延びる上平面部と該上平面部よりも高さの低い下平面部とからなる段差部が設けられ、前記第２トレイ部が前記初期位置に位置するときには、前記１対のスイッチ端子のうちの一方のスイッチ端子が前記上平面部に当接し、これにより前記１対のスイッチ端子が接触して前記検出スイッチが閉じ、前記第２トレイ部が前記初期位置から引き出し方向に前記第１所定距離にある第１位置に移動したときには、前記一方のスイッチ端子が前記下平面部に接近又は当接し、これにより前記１対のスイッチ端子が離隔して前記検出スイッチが開くことを特徴とする請求項１又は２記載のカードコネクタ。
【請求項４】
前記第１トレイ部は、複数の第１櫛歯部を有する櫛歯状に形成された前記カードが載置及び保持されるカード保持部を有し、前記第２トレイ部は、前記櫛歯状に形成されたカード保持部の複数の第１櫛歯部と組み合わさる複数の第２櫛歯部を有する櫛歯状に形成された前記カードが載置されるカード載置部を有することを特徴とする請求項１乃至３のうちいずれか一項に記載のカードコネクタ。
【請求項５】
前記第２トレイ部の各第２櫛歯部には、前記引き出し方向に延びるレール部が形成され、前記第１トレイ部の各第１櫛歯部には、前記第２トレイ部の前記レール部を上下方向から挟んで前記第２トレイ部を引き出し可能に保持する複数の爪部が形成されたことを特徴とする請求項１乃至４のうちいずいれか一項に記載のカードコネクタ。
【請求項６】
前記ハウジングを覆う金属製のシェルが前記ハウジングに取り付けられ、前記シェルには、弾性的に変形可能なロック片が設けられ、前記第２トレイ部には、前記トレイが前記ハウジング内に収容されて前記第２トレイ部が前記初期位置に位置するときに前記ロック片が係合する凹部が設けられていることを特徴とする請求項１乃至５のうちいずれか一項に記載のカードコネクタ。
【請求項７】
前記第１トレイ部及び前記第２トレイ部が、前記初期位置から引き出し方向に前記カードの全体が露出する排出位置に移動可能であることを特徴とする請求項１乃至６のうちいずれか一項に記載のカードコネクタ。
【発明の詳細な説明】
【技術分野】
【０００１】
本発明は、ＳＩＭカード（Ｓｕｂｓｃｒｉｂｅｒ  Ｉｄｅｎｔｉｔｙ  Ｍｏｄｕｌｅ  Ｃａｒｄ）等の小型のカードが接続される、カードが載置されるトレイを引き出し可能に収容したカードコネクタに関する。
【背景技術】
【０００２】
近年、携帯電話で使われている電話加入者を特定するための固有のＩＤ番号が記録されたＩＣカードとして、いわゆるＳＩＭカードが普及している。このＳＩＭカードは、元来、カードコネクタに対して頻繁に挿入及び排出をすることを想定したものではなかった。しかし、最近は、カードコネクタに対して頻繁に挿入及び排出をする用途が求められるようになってきた。
【０００３】
ところで、この種のカードを挿入及び排出するタイプのカードコネクタにおいては、カードとカード処理装置などの間でデータ処理を行っている際に、誤ってカードをカードコネクタから抜き取る操作を防止するのが一般的である。この理由は、このような誤操作をすることにより、例えば、カードの保有するデータが消失してしまう場合があるからである。
【０００４】
従来、カードを挿入及び排出するタイプのカードコネクタにおいて、データ処理中におけるカードの抜き取りを防止するメモリカードコネクタとして、例えば、図３４に示すものが知られている（特許文献１参照）。
図３４に示すメモリカードコネクタ１０１は、メモリカード１６０を収容するハウジング１１０と、コンタクト１２０と、トレイ１３０とを備えている。コンタクト１２０は、ハウジング１１０に取り付けられると共にハウジング１１０に収容されたメモリカード１６０の電極１６１に接触する。トレイ１３０は、メモリカード１６０が載置されると共に、ハウジング１１０から引き出し可能にハウジング１１０内に収容される。
【０００５】
また、ハウジング１１０のカード挿入方向手前側（図３４における左側）にある開口部１１１には、トレイ１３０がハウジング１１０内に収容されたときに開口部１１１を塞ぐ扉１１２が設けられている。トレイ１３０がハウジング１１０内に収容されたときに扉１１２によって開口部１１１が塞がれるので、操作者が開口部１１１から指を入れてメモリカードＣにアクセスすることが不可能となる。
【０００６】
更に、ハウジング１１０のカード挿入方向奥側（図３４における右側）とカード挿入方向手前側には、トレイ１３０の位置を検出するトレイセンサ１４１、１４２が設けられている。また、ハウジング１１０の開口部１１１近傍には、トレイ開閉信号を送出するトレイ開閉スイッチ１４３が設けられている。
これらトレイセンサ１４１、１４２及びトレイ開閉スイッチ１４３は、制御部１５０に接続されている。そして、制御部１５０は、トレイセンサ１４１、１４２からのトレイ位置検出信号及びトレイ開閉スイッチ１４３からのトレイ開指示信号を入力して、トレイ１３０をハウジング１１０から引き出すように動作させる。また、制御部１５０は、この引き出し動作を開始する前あるいは開始と同時にメモリカード１６０への電力供給を停止させる。つまり、トレイ１３０を引き出す（抜き出す）ときには、データ処理が中止されることになる。
【０００７】
従って、これら扉１１２及びトレイセンサ１４１、１４２、トレイ開閉スイッチ１４３の作用により、データ処理中におけるカードの抜き取りを防止することができる。
【先行技術文献】
【特許文献】
【０００８】
【特許文献１】特開２００２−２１６０８２号公報
【発明の概要】
【発明が解決しようとする課題】
【０００９】
しかしながら、この図３４に示したカードコネクタ１０１にあっては、以下の問題点があった。
即ち、制御部１５０がメモリカード１６０の引き出し動作を開始する前にメモリカード１６０への電力供給を停止させる場合には問題ない。しかし、メモリカード１６０の引き出し動作の開始と同時にメモリカード１６０への電力供給を停止させるときには、トレイ１３０の移動とメモリカード１６０への回路遮断とが同時に生じる。この場合、メモリカード１６０に対するデータ処理中、特にメモリカード１６０からのデータの読み込み中等にトレイが移動することになり、メモリカード１６０からのデータの読み込みにエラーが生じる場合がある。
【００１０】
また、トレイ１３０の位置を検出するためのセンサが２つ（符号１４１、１４２）設けられており、更に、トレイ開閉スイッチ１４３を設けているため、制御部１５０のシステム構成が複雑になってしまうという問題点があった。
本発明は、これらの問題点に鑑みてなされたものであり、その目的は、簡単な構成でデータ処理中におけるカードの抜き出しを確実に防止することができる、カードを載置するトレイを引き出し可能に収容したカードコネクタを提供することにある。
【課題を解決するための手段】
【００１１】
上記目的を達成するために、本発明のうち請求項１に係るカードコネクタは、カードを収容するハウジングと、該ハウジングに取り付けられると共に前記ハウジングに収容されたカードの電極に接触するコンタクトと、前記カードを載置すると共に、前記ハウジングから引き出し可能に前記ハウジング内に収容されたトレイと、前記トレイが前記ハウジングに収容されている状態かそうでない状態かを検出する検出スイッチとを具備し、前記トレイは、前記カードが載置及び保持される第１トレイ部と、該第１トレイ部に対して引き出し方向に移動可能に設けられると共に、前記検出スイッチを開閉する第２トレイ部とを備え、前記トレイが前記ハウジング内に収容されているときには、前記第２トレイ部が前記第１トレイ部に対して引き出されておらず初期位置に位置し、前記第１トレイ部に保持された前記カードの電極が前記コンタクトに接触すると共に、前記第２トレイ部によって前記検出スイッチが閉じて前記トレイが前記ハウジングに収容されている状態が検出され、前記第２トレイ部が前記初期位置から引き出し方向に第１所定距離にある第１位置に移動すると、前記第２トレイ部によって前記検出スイッチが開いて前記トレイが前記ハウジングに収容されていない状態が検出され、これにより、カード処理装置側に読み込み不可能の信号が送出され、前記第２トレイ部が前記初期位置から引き出し方向に前記第１所定距離よりも長い第２所定距離にある第２位置に移動すると、前記第１トレイ部が前記第２トレイ部に連動可能となり、前記第２トレイ部が前記初期位置から引き出し方向に前記第２所定距離よりも長い第３所定距離にある第３位置に移動すると、前記第２トレイ部に連動して前記第１トレイ部が引き出し方向に移動し、前記カードの電極が前記コンタクトから離れることを特徴としている。
【００１２】
また、本発明のうち請求項２に係るカードコネクタは、請求項１記載のカードコネクタにおいて、前記第１トレイ部及び前記第２トレイ部には、前記第２トレイ部が前記初期位置から引き出し方向に前記第２位置に移動したときに、前記第２トレイ部の前記第１トレイ部に対する引き出し方向の相対的移動を規制するストッパ手段が設けられていることを特徴としている。
【００１３】
更に、本発明のうち請求項３に係るカードコネクタは、請求項１又は２記載のカードコネクタにおいて、前記検出スイッチが、前記ハウジングに固定された、互いに接離可能な１対のスイッチ端子で構成され、前記第２トレイ部には、引き出し方向に沿って延びる上平面部と該上平面部よりも高さの低い下平面部とからなる段差部が設けられ、前記第２トレイ部が前記初期位置に位置するときには、前記１対のスイッチ端子のうちの一方のスイッチ端子が前記上平面部に当接し、これにより前記１対のスイッチ端子が接触して前記検出スイッチが閉じ、前記第２トレイ部が前記初期位置から引き出し方向に前記第１所定距離にある第１位置に移動したときには、前記一方のスイッチ端子が前記下平面部に接近又は当接し、これにより前記１対のスイッチ端子が離隔して前記検出スイッチが開くことを特徴としている。
【００１４】
また、本発明のうち請求項４に係るカードコネクタは、請求項１乃至３のうちいずれか一項に記載のカードコネクタにおいて、前記第１トレイ部は、複数の第１櫛歯部を有する櫛歯状に形成された前記カードが載置及び保持されるカード保持部を有し、前記第２トレイ部は、前記櫛歯状に形成されたカード保持部の複数の第１櫛歯部と組み合わさる複数の第２櫛歯部を有する櫛歯状に形成された前記カードが載置されるカード載置部を有することを特徴としている。
【００１５】
また、本発明のうち請求項５に係るカードコネクタは、請求項１乃至４のうちいずれか一項に記載のカードコネクタにおいて、前記第２トレイ部の各第２櫛歯部には、前記引き出し方向に延びるレール部が形成され、前記第１トレイ部の各第１櫛歯部には、前記第２トレイ部の前記レール部を上下方向から挟んで前記第２トレイ部を引き出し可能に保持する複数の爪部が形成されたことを特徴としている。
【００１６】
更に、本発明のうち請求項６に係るカードコネクタは、請求項１乃至５のうちいずれか一項に記載のカードコネクタにおいて、前記ハウジングを覆う金属製のシェルが前記ハウジングに取り付けられ、前記シェルには、弾性的に変形可能なロック片が設けられ、前記第２トレイ部には、前記トレイが前記ハウジング内に収容されて前記第２トレイ部が前記初期位置に位置するときに前記ロック片が係合する凹部が設けられていることを特徴としている。
【００１７】
また、本発明のうち請求項７に係るカードコネクタは、請求項１乃至６のうちいずれか一項に記載のカードコネクタにおいて、前記第１トレイ部及び前記第２トレイ部が、前記初期位置から引き出し方向に前記カードの全体が露出する排出位置に移動可能であることを特徴としている。
【発明の効果】
【００１８】
本発明に係るカード用コネクタによれば、先ず、第２トレイ部が初期位置から引き出し方向に第１所定距離にある第１位置に移動すると、第２トレイ部によって検出スイッチが開いてトレイがハウジングに収容されていない状態が検出され、これにより、カード処理装置側に読み込み不可能の信号が送出される。次いで、第２トレイ部が初期位置から引き出し方向に第１所定距離よりも長い第２所定距離にある第２位置に移動すると、第１トレイ部が第２トレイ部に連動可能となる。更に、第２トレイ部が初期位置から引き出し方向に第２所定距離よりも長い第３所定距離にある第３位置に移動すると、第２トレイ部に連動して第１トレイ部が引き出し方向に移動し、カードの電極がコンタクトから離れる。このため、カードの抜き出しに際して、先ず、カード処理装置側に読み込み不可能の信号が送出され、データ処理が中止し、その後、カードの電極がコンタクトから離れることになる。これにより、データ処理中におけるカードの抜き出しを確実に防止することができる、カードを載置するトレイを引き出し可能に収容したカードコネクタを提供できる。
【００１９】
また、トレイは、カードが載置及び保持される第１トレイ部と、第１トレイ部に対して引き出し方向に移動可能に設けられると共に、検出スイッチを開閉する第２トレイ部とを備えている。トレイの構成を、カードが載置及び保持する部分と、検出スイッチを開閉する部分とによって構成することにより、検出スイッチの数を増やすことなく簡単な構成でデータ処理中におけるカードの抜き出しを確実に防止することができる。
【図面の簡単な説明】
【００２０】
【図１】本発明に係るカードコネクタの実施形態を示す斜視図である。
【図２】図１に示すカードコネクタの分解斜視図である。
【図３】図１に示すカードコネクタの平面図であり、第２トレイ部が初期位置にある状態を示している。
【図４】図３に示す状態のカードコネクタの底面図である。
【図５】図４における５−５線に沿う断面図である。
【図６】図４における６−６線に沿う断面図である。
【図７】図１に示すカードコネクタの平面図であり、第２トレイ部が第１位置にある状態を示している。
【図８】図７に示す状態のカードコネクタの底面図である。
【図９】図８における９−９線に沿う断面図である。
【図１０】図８における１０−１０線に沿う断面図である。
【図１１】図１に示すカードコネクタの平面図であり、第２トレイ部が第２位置にある状態を示している。
【図１２】図１１に示す状態のカードコネクタの底面図である。
【図１３】図１２における１３−１３線に沿う断面図である。
【図１４】図１２における１４−１４線に沿う断面図である。
【図１５】図１に示すカードコネクタの平面図であり、第２トレイ部が第３位置にある状態を示している。
【図１６】図１５に示す状態のカードコネクタの底面図である。
【図１７】図１６における１７−１７線に沿う断面図である。
【図１８】図１６における１８−１８線に沿う断面図である。
【図１９】図１に示すカードコネクタの平面図であり、第２トレイ部及び第１トレイ部が排出位置にある状態を示している。
【図２０】図１９に示す状態のカードコネクタの底面図である。
【図２１】図１に示すカードコネクタに用いられるトレイを示す平面側から見た斜視図であり、トレイが閉じている状態（第２トレイ部が初期位置にある状態）を示している。
【図２２】図２１に示す状態のトレイを底面側から見た斜視図である。
【図２３】図２１に示す状態のトレイの底面図である。
【図２４】図２３における２４−２４線に沿う断面図である。
【図２５】図２３に示す状態のトレイの右側面図である。
【図２６】図２３における２６−２６線に沿う断面図である。
【図２７】図１に示すカードコネクタに用いられるトレイを示す平面側から見た斜視図であり、トレイが開いている状態（第２トレイ部が第２位置にある状態）を示している。
【図２８】図２７に示す状態のトレイを底面側から見た斜視図である。
【図２９】図２７に示す状態のトレイの底面図である。
【図３０】図２９における３０−３０線に沿う断面図である。
【図３１】図２７に示す状態のトレイの平面図である。
【図３２】図２９に示す状態のトレイの右側面図である。
【図３３】図２９における３３−３３線に沿う断面図である。
【図３４】従来例のカードコネクを説明するための図である。
【発明を実施するための形態】
【００２１】
以下、本発明に係るカードコネクタの実施形態を図面を参照して説明する。
図１乃至図６に示すカードコネクタ１は、ＳＩＭカード等の小型のカードＣ（図５参照）が挿入及び排出されるものである。カードＣは、カードＣを基準として後方（図５における右方）から前方（図５における左方）へ挿入される。以下、図５における「右」を「後」、図５における「左」を「前」とする。
【００２２】
カードコネクタ１は、いわゆるリバースマウントタイプであり、図５に示すように、カードコネクタ１の上面（シェル７０のある側の面）を下側に、カードコネクタ１の底面（ハウジング１０のある側の面）を上側にして、図示しない回路基板の下面に実装される。
カードコネクタ１は、図２に示すように、カードＣを収容するハウジング１０と、ハウジング１０に取り付けられる複数のコンタクト２０と、トレイ３０と、検出スイッチ６０と、シェル７０とを備えている。
【００２３】
ここで、ハウジング１０は、図２に示すように、略矩形状の平板部１１と、平板部１１の幅方向（図２における左右方向）両側縁から立ち上がる両側壁１２、１３とを備えている。また、ハウジング１０は、平板部１１の前縁から立ち上がる前壁１４を備えている。平板部１１の上で幅方向両側壁１１、１２、前壁１４及び後述するシェル７０によって囲まれる空間が、カードＣ及びトレイ３の収容空間を形成する。ハウジング１０は、絶縁性の樹脂を成形することによって形成される。
【００２４】
また、複数のコンタクト２０は、図２に示すように、ハウジング１０の幅方向に沿って複数列状（本実施形態にあっては２列状）に所定ピッチで配置されている。各コンタクト２０は、カードＣの電極Ｃ１（図５参照）との接触部２１が平板部１１から上方（図５における下方）に収容空間内に突出するように平板部１１に取り付けられる。各コンタクト２０は、導電性金属板を打抜き及び曲げ加工することによって形成される。
【００２５】
また、検出スイッチ６０は、図２、図４、図６、図８及び図１０に示すように、ハウジング１０の平板部１１における幅方向右端部に固定された、互いに接離可能な１対のスイッチ端子６１、６２で構成される。検出スイッチ６０は、トレイ３０がハウジング１０に収容されている状態かそうでない状態かを検出する。
シェル７０は、金属板を打抜き及び曲げ加工することによって形成され、ハウジング１０を覆うようにハウジング１０に取り付けられる。シェル７０は、図１乃至図４に示すように、ハウジング１０の上方を覆う略矩形状の平板部７１と、平板部７１の幅方向両側縁から立ち下がる１対の側壁部７２、７３とを備えている。各側壁部７２、７３には、図４に示すように、複数の基板実装部７４が設けられている。基板実装部７４は、図示しない回路基板の下面に実装される。また、シェル７０の幅方向右側の側壁７２には、弾性的に変形可能なロック片７５が設けられている。ロック片７５は、側壁７２から折り曲げ形成された片持ち梁形状をなす。
【００２６】
更に、トレイ３０は、図５、図９、図１３、図１７、図１９及び図２０に示すように、その下面側を上側にして、ハウジング１０から引き出し可能にハウジング１０の収容空間内に収容される。トレイ３０は、図５に示すように、上側にされた下面側に、カードＣを載置するようになっている。
ここで、トレイ３０は、図２及び図２１乃至図３３に示すように、第１トレイ部４０と、第１トレイ部４０に対して引き出し方向（後方向）に移動可能に保持される、検出スイッチ６０を開閉する第２トレイ部５０とからなっている。
【００２７】
第１トレイ部４０には、図５、図９、図１３、図１７及び図２０に示すように、カードＣが載置及び保持される。第１トレイ部４０は、図２及び図２１乃至図３３に示すように、ハウジング１０の幅方向に延びる基部４１と、基部４１から後方に延びるカード保持部４２とを備えている。第１トレイ部４０は絶縁性の樹脂を成形することによって形成される。
【００２８】
ここで、カード保持部４２は、図２に示すように、基部４１から後方に延びる複数（本実施形態にあっては５個）の第１櫛歯部４２ａ〜４２ｅを有する櫛歯状に形成される。カード保持部４２は、図５、図９、図１３、図１７、図２０、２３、図２４及び図２５に示すように、基部４１の下面部から凹み、その下側にカードＣを載置及び保持するようになっている。第１櫛歯部４２ａ〜４２ｅは、それぞれ平板状に形成され、第１トレイ部４０の幅方向において所定間隔で配置される。各第１櫛歯部４２ａ〜４２ｅの両側縁には、図２、図２３及び図２４に示すように、第２トレイ部５０に設けられた後述するレール部５４を上方向から挟む複数の爪部４３ａと、当該レール部５４を下方向から挟む複数の爪部４３ｂとが設けられている。
【００２９】
第２トレイ部５０は、図２１乃至図２６に示す第１トレイ部４０に対して閉じられた位置と、図２７乃至図３３に示す第１トレイ部４０に対して開いた位置との間を移動可能に第１トレイ部４０に保持される。
第２トレイ部５０は、図２及び図２１乃至図２５に示すように、幅方向に延びる基部５１と、基部５１から前方向に延びるカード載置部５２とを備えている。カード載置部５２は、基部５１の下面部から凹み、その下側にカードＣを載置するようになっている。基部５１には、指等によって把持するための把持部５１ａが設けられている。カード載置部５２は、櫛歯状に形成され、基部５２から前方向に延びる複数（本実施形態にあっては４個）の第２櫛歯部５２ａ〜５２ｄを有している。複数の第２櫛歯部５２ａ〜５２ｄは、櫛歯状に形成されたカード保持部４２の複数の第１櫛歯部４２ａ〜４２ｅと組み合わされる。
【００３０】
具体的には、図２７及び図２８に示すように、隣接する第２櫛歯部５２ａ、５２ｂ間には、第１櫛歯部４２ａが入り込むスペース５３ａが形成され、当該スペース５３ａに第１櫛歯部４２ａが入り込む。同様に、隣接する第２櫛歯部５２ｂ、５２ｃ間には、第１櫛歯部４２ｃが入り込むスペース５３ｂが形成され、当該スペース５３ｂに第１櫛歯部４２ｃが入り込む。更に、隣接する第２櫛歯部５２ｃ、５２ｄ間には、第１櫛歯部４２ｅが入り込むスペース５３ｃが形成され、当該スペース５３ｃに第１櫛歯部４２ｅが入り込む。また、第２櫛歯部５２ｂには、図２８に示すように、第１櫛歯部４２ｂが入り込む溝５３ｄが形成されるとともに、溝５３ｄの後側に上下に貫通する貫通孔５３ｅが形成されている。更に、第２櫛歯部５２ｃには、第１櫛歯部４２ｄが入り込む溝５３ｄが形成されるとともに、溝５３ｄの後側に上下に貫通する貫通孔５３ｅが形成されている。
【００３１】
第１櫛歯部４２ｂの先端（後端）部分は、図２１及び図２７に示すように、第２櫛歯部５２ｂに形成された貫通孔５３ｅに入り込む。また、第１櫛歯部４２ｄの先端（後端）部分は、図２１及び図２７に示すように、第２櫛歯部５２ｃに形成された貫通孔５３ｅに入り込む。図２１に示すように、これら貫通孔５３ｅの後縁部が第１櫛歯部４２ｂの先端（後端）部分及び第１櫛歯部４２ｄの先端（後端）部分のそれぞれに当接することによって、第２トレイ部５０の前方への移動が規制される。また、図２７に示すように、これら貫通孔５３ｅの前縁部が第１櫛歯部４２ｂの先端（後端）部分及び第１櫛歯部４２ｄの先端（後端）部分のそれぞれに当接することによって、第２トレイ部５０の後方への移動が規制される。即ち、第２トレイ部５０は、図２１乃至図２６に示す第１トレイ部４０に対して閉じられた位置と、図２７乃至図３３に示す第１トレイ部４０に対して開いた位置との間を移動可能になる。
【００３２】
図２７に示すように、第２トレイ部５０の第２櫛歯部５２ａの右側縁、第２櫛歯部５２ｂの左右両側縁、第２櫛歯部５２ｃの左右両側縁、及び第２櫛歯部５２ｄの左側縁には、引き出し方向（前後方向）に延びるレール部５４が形成されている。また、第２櫛歯部５２ｂに形成された貫通孔５３ｅの左右側縁及び第２櫛歯部５２ｃに形成された貫通孔５３ｅの左右側縁にも、引き出し方向（前後方向）に延びるレール部５４が形成されている。第２トレイ部５０の各レール部５４を第１トレイ部４０に設けられた爪部４３ａ，４３ｂによって上下方向から挟む。これにより、第２トレイ部５０は、第１トレイ部４０に対して閉じた位置と開いた位置との間を移動可能（引き出し方向に移動可能）に保持される。
【００３３】
また、第２トレイ部５０の第２櫛歯部５２ｄの幅方向右側縁には、図２に示すように、凹部５５が形成されている。この凹部５５には、トレイ３０がハウジング１０内に収容されて第２トレイ部５０の先端が図６に示す初期位置Ｌ０に位置するときにシェル７５のロック片７５が係合する。
そして、トレイ３０は、第２トレイ部５０が第１トレイ部４０に対して図２１乃至図２６に示す閉じられた位置にあるときに、図５及び図６に示すように、カードＣがトレイ３０に載置されてハウジング１０内に収容される。この状態では、図６に示すように、第２トレイ部５０が第１トレイ部４０に対して引き出されておらず第２トレイ部５０の先端が初期位置Ｌ０に位置している。第２トレイ部５０の先端が初期位置Ｌ０に位置しているときには、図５に示すように、第１トレイ部４０に保持されたカードＣの電極Ｃ１がコンタクト２０の接触部２１に接触する。そして、図６に示すように、第２トレイ部５０によって検出スイッチ６０が閉じてトレイ３０がハウジング１０に収容されている状態が検出される。このように、検出スイッチ６０によってトレイ３０がハウジング１０に収容されている状態が検出されるときには、カード処理装置側にカードＣからのデータの読み込み可能信号が送出される。
【００３４】
ここで、図４、図６及び図２２に示すように、第２トレイ部５０の第２櫛歯部５２ｄの側縁には、引き出し方向に沿って延びる上平面部５６ａと上平面部５６ａよりも高さの低い下平面部５６ｂとからなる段差部５６が設けられている。第２トレイ部の先端が初期位置Ｌ０に位置するときには、検出スイッチ６０を構成する１対のスイッチ端子６１、６２のうちの一方のスイッチ端子６１が上平面部５６ａに当接する。これにより１対のスイッチ端子６１、６２が接触して検出スイッチ６０が閉じている。
【００３５】
そして、第２トレイ部５０を引き出して、図１０に示すように、第２トレイ部５０の先端が初期位置Ｌ０から引き出し方向に第１所定距離ｄ１にある第１位置Ｌ１に移動させる。すると、第２トレイ部５０によって検出スイッチ６０が開いてトレイ３０がハウジング１０に収容されていない状態が検出される。これにより、カード処理装置側にカードＣからの読み込み不可能の信号が送出される。
【００３６】
ここで、第２トレイ部５０の先端が第１位置Ｌ１に位置するときには、図１０に示すように、検出スイッチ６０を構成する１対のスイッチ端子６１、６２のうちの一方のスイッチ端子６１が下平面部５６ｂに接近又は当接する。これにより１対のスイッチ端子６１、６２の接触状態が解除され、検出スイッチ６０が開く。
一方、この第２トレイ部５０の先端が第１位置Ｌ１にあるときには、図９に示すように、第１トレイ部４０は移動せず、第１トレイ部４０に保持されたカードＣの電極Ｃ１はコンタクト２０の接触部２１に接触したままである。
【００３７】
そして、第２トレイ部５０を更に引き出して、図１４に示すように、第２トレイ部５０の先端が初期位置Ｌ０から引き出し方向に第１所定距離ｄ１よりも長い第２所定距離ｄ２にある第２位置Ｌ２に移動させる。すると、図２７に示すように、第２トレイ部５０の第２櫛歯部５２ｂに形成された貫通孔５３ｅの前縁が第１トレイ部４０の第１櫛歯部４２ｂの先端部（後端部）に、第２トレイ部５０の第２櫛歯部５２ｃに形成された貫通孔５３ｅの前縁が第１トレイ部４０の第１櫛歯部４２ｄの先端部（後端部）に当接する。これにより、第１トレイ部４０が第２トレイ部５０に連動可能となる。
【００３８】
即ち、第２トレイ部５０の第２櫛歯部５２ｂに形成された貫通孔５３ｅの前縁及び第１トレイ部４０の第１櫛歯部４２ｂの先端部（後端部）、第２トレイ部５０の第２櫛歯部５２ｃに形成された貫通孔５３ｅの前縁及び第１トレイ部４０の第１櫛歯部４２ｄの先端部（後端部）が請求項２に規定する「ストッパ手段」を構成する。そして、この「ストッパ手段」により、第２トレイ部５０の第１トレイ部４０に対する引き出し方向の相対的移動が規制される。このため、第２トレイ部５０は、第１トレイ部４０から引き出し方向に外れない。
【００３９】
なお、第２トレイ部５０の先端が第２位置Ｌ２にあるときには、図１３に示すように、第１トレイ部４０は移動しておらず、第１トレイ部４０に保持されたカードＣの電極Ｃ１はコンタクト２０の接触部２１に接触したままである。
そして、第２トレイ部５０を更に引き出して、図１８に示すように、第２トレイ部の先端が初期位置Ｌ０から引き出し方向に第２所定距離ｄ２よりも長い第３所定距離ｄ３にある第３位置Ｌ３に移動させる。すると、第２トレイ部５０に連動して第１トレイ部４０が引き出し方向に移動し、図１７に示すように、カードＣの電極Ｃ１がコンタクト２０の接触部２１から離れる。これにより、カードＣの電極Ｃ１とコンタクト２０との接続状態が解除される。
【００４０】
更に、第２トレイ部５０を更に引き出して、図１９及び図２０に示すように、第２トレイ部５０及び第１トレイ部４０を、カードＣ全体が完全に露出する排出位置に位置させる。これにより、カードＣをカードコネクタ１から抜き出すことができる。排出位置においては、カードＣ全体が完全に露出しているから、カードＣのカードコネクタ１からの抜き出しは容易に行える。
【００４１】
このように、本実施形態に係るカードコネクタ１によれば、先ず、第２トレイ部５０の先端が初期位置Ｌ０から引き出し方向に第１所定距離ｄ１にある第１位置Ｌ１に移動する。すると、第２トレイ部５０によって検出スイッチ６０が開いてトレイ３０がハウジング１０に収容されていない状態が検出される。これにより、カード処理装置側に読み込み不可能の信号が送出される。次いで、第２トレイ部５０の先端が初期位置Ｌ０から引き出し方向に第１所定距離ｄ１よりも長い第２所定距離ｄ２にある第２位置Ｌ２に移動する。すると、第１トレイ部４０が第２トレイ部５０に連動可能となる。更に、第２トレイ部５０の先端が初期位置Ｌ０から引き出し方向に第２所定距離ｄ２よりも長い第３所定距離ｄ３にある第３位置Ｌ３に移動する。すると、第２トレイ部５０に連動して第１トレイ部４０が引き出し方向に移動し、カードＣの電極Ｃ１がコンタクトＣの接触部２１から離れる。このため、カードＣの抜き出しに際して、先ず、カード処理装置側に読み込み不可能の信号が送出され、データ処理が中止し、その後、カードＣの電極Ｃ１がコンタクト２０から離れることになる。これにより、データ処理中におけるカードＣの抜き出しを確実に防止することができる、カードＣを載置するトレイ３０を引き出し可能に収容したカードコネクタ１を提供できる。
【００４２】
また、トレイ３０は、カードＣが載置及び保持される第１トレイ部４０と、第１トレイ部４０に対して引き出し方向に移動可能に設けられると共に、検出スイッチ６０を開閉する第２トレイ部５０とを備えている。トレイ３０の構成を、カードＣが載置及び保持する部分と、検出スイッチ６０を開閉する部分とによって構成することにより、検出スイッチ６０の数を増やすことなく簡単な構造上の構成でデータ処理中におけるカードＣの抜き出しを確実に防止することができる。
【００４３】
更に、本実施形態に係るカードコネクタ１によれば、検出スイッチ６０が、ハウジング１０に固定された、互いに接離可能な１対のスイッチ端子６１、６２で構成されている。その一方、第２トレイ部５０には、引き出し方向に沿って延びる上平面部５６ａと上平面部５６ａよりも高さの低い下平面部５６ｂとからなる段差部５６が設けられている。そして、第２トレイ部５０の先端が初期位置Ｌ０に位置するときには、一方のスイッチ端子６１が上平面部５６ａに当接し、これにより１対のスイッチ端子６１、６２が接触して検出スイッチ６０が閉じる。また、第２トレイ部５０の先端が初期位置Ｌ０から引き出し方向に第１所定距離ｄ１にある第１位置Ｌ０に移動したときには、一方のスイッチ端子６１が下平面部５６ｂに接近又は当接し、これにより１対のスイッチ端子６１、６２が離隔して検出スイッチ６０が開く。このため、簡単な検出スイッチ６０の構成及びトレイの構成によってデータ処理中におけるカードＣの抜き出しを確実に防止することができる。
【００４４】
また、本実施形態に係るカードコネクタ１によれば、第１トレイ部４０は、複数の第１櫛歯部４２ａ〜４２ｅを有する櫛歯状に形成されたカードＣが載置及び保持されるカード保持部４２を有する。一方、第２トレイ部５０は、櫛歯状に形成されたカード保持部４２の複数の第１櫛歯部４２ａ〜４２ｅと組み合わさる複数の第２櫛歯部５２ａ〜５２ｄを有する櫛歯状に形成されたカード載置部５２を有する。即ち、第１トレイ部４０と第２トレイ部５０とは、複数の櫛歯が組み合わさる構成となっており、単純な凹凸が組み合わさる構成とする場合よりも互いが接する部分が大きい。このため、第１トレイ部４０と第２トレイ部５０とが外れづらい構成とすることができる。
【００４５】
更に、本実施形態に係るカードコネクタ１によれば、第２トレイ部５０の各第２櫛歯部５２ａ〜５２ｄには、引き出し方向に延びるレール部５４が形成されている。その一方、第１トレイ部４０の各第１櫛歯部４２ａ〜４２ｅには、第２トレイ部５０のレール部５４を上下方向から挟んで第２トレイ部５０を引き出し可能に保持する複数の爪部４３ａ、４３ｂが形成されている。このため、簡単な構成かつ組立て容易な構成で第２トレイ部５０を第１トレイ部４０に対して引き出し可能に保持することができる。
【００４６】
また、本実施形態に係るカードコネクタ１によれば、ハウジング１０を覆う金属製のシェル７０には弾性的に変形可能なロック片７５が設けられている。その一方、第２トレイ部５０には、トレイ３０がハウジング１０内に収容されて第２トレイ部５０の先端が初期位置Ｌ０に位置するときにロック片７５が係合する凹部５５が設けられている。これにより、トレイ３０をハウジング１０内に収容したときにロック片７５によりトレイ３０が弾性的にロックされるので、トレイ３０がハウジング１０から不用意に離脱するのを回避することができる。
【００４７】
以上、本発明の実施形態について説明してきたが、本発明はこれに限定されずに種々の変更、改良を行うことができる。
例えば、第１トレイ部４０及び第２トレイ部５０に、第２トレイ部５０が第２位置にあるときに第２トレイ部５０の第１トレイ部４０に対する引き出し方向の相対的移動を規制するストッパ手段を設ける必要はなく、第１トレイ部４０が第２トレイ部５０の移動に伴って連動するようになっていればよい。
【００４８】
また、第２トレイ部５０に、引き出し方向に沿って延びる上平面部５６ａと下平面部５６ｂとからなる段差部５６を設ける必要は必ずしもなく、第２トレイ部５０が検出スイッチ６０を開閉できる構成を備えていればよい。
また、第１トレイ部４０のカード保持部４２を複数の第１櫛歯部４２ａ〜４２ｅを有する櫛歯状に形成する必要は必ずしもなく、また、第２トレイ部５０のカード載置部５２を複数の第１櫛歯部４２ａ〜４２ｅと組み合わさる複数の第２櫛歯部５２ａ〜５２ｄを有する櫛歯状に形成する必要は必ずしもない。
【００４９】
更に、第２トレイ部５０が第１トレイ部４０に対して引き出し方向に保持される構成であればよく、第２トレイ部にレール部５４を、第１トレイ部４０に爪部４３ａ，４３ｂを設ける必要は必ずしもない。
また、シェル７０にロック片７５を、第２トレイ部５０に凹部５５を設ける必要は必ずしもない。
【符号の説明】
【００５０】
１  カードコネクタ
１０  ハウジング
２０  コンタクト
３０  トレイ
４０  第１トレイ部
４２  カード保持部
４２ａ  第１櫛歯部
４２ｂ  第１櫛歯部（ストッパ手段）
４２ｃ  第１櫛歯部
４２ｄ  第１櫛歯部（ストッパ手段）
４２ｅ  第１櫛歯部
４３ａ  爪部
４３ｂ  爪部
５０  第２トレイ部
５２  カード載置部
５２ａ  第２櫛歯部
５２ｂ  第２櫛歯部
５２ｃ  第２櫛歯部
５２ｄ  第２櫛歯部
５２ｅ  貫通孔（ストッパ手段）
５４  レール部
５５  凹部
５６  段差部
５６ａ  上平面部
５６ｂ  下平面部
６０  検出スイッチ
６１  スイッチ端子
６２  スイッチ端子
７０  シェル
７５  ロック片
Ｃ  カード
Ｃ１  電極
【図１】
2012256530.tif 000003
【図２】
2012256530.tif 000004
【図３】
2012256530.tif 000005
【図４】
2012256530.tif 000006
【図５】
2012256530.tif 000007
【図６】
2012256530.tif 000008
【図７】
2012256530.tif 000009
【図８】
2012256530.tif 000010
【図９】
2012256530.tif 000011
【図１０】
2012256530.tif 000012
【図１１】
2012256530.tif 000013
【図１２】
2012256530.tif 000014
【図１３】
2012256530.tif 000015
【図１４】
2012256530.tif 000016
【図１５】
2012256530.tif 000017
【図１６】
2012256530.tif 000018
【図１７】
2012256530.tif 000019
【図１８】
2012256530.tif 000020
【図１９】
2012256530.tif 000021
【図２０】
2012256530.tif 000022
【図２１】
2012256530.tif 000023
【図２２】
2012256530.tif 000024
【図２３】
2012256530.tif 000025
【図２４】
2012256530.tif 000026
【図２５】
2012256530.tif 000027
【図２６】
2012256530.tif 000028
【図２７】
2012256530.tif 000029
【図２８】
2012256530.tif 000030
【図２９】
2012256530.tif 000031
【図３０】
2012256530.tif 000032
【図３１】
2012256530.tif 000033
【図３２】
2012256530.tif 000034
【図３３】
2012256530.tif 000035
【図３４】
2012256530.tif 000036